(57)【要約】【課題】画像読取装置において、トレイの閉鎖時にそのトレイに設けられた一対の壁が筐体側の部材と干渉することを抑制すること。【解決手段】一対の壁部５３を最も近接させた場合でも、その一対の壁部５３の一対の壁５３Ａは、上部筐体１１の後端面１１Ａから後方に突出した分離機構１６や、第１突出部５４Ａの、幅方向両側に配設される。従って、第１トレイ５０を筐体１０方向に揺動させて閉じる際に壁部５３が分離機構１６と干渉せず、良好に閉じることができる。【選択図】図５
2014129160.tif 000002
【特許請求の範囲】
【請求項１】
原稿の搬送方向に直交する幅方向に延出した第１延出部と、前記第１延出部から前記搬送方向の上流側へ延出した一対の第２延出部とを備える筐体と、
前記筐体に内蔵され、原稿の画像を読み取る読取部と、
表面と前記表面よりも前記第１延出部から離間した裏側に位置する裏面とを備え、前記筐体に揺動可能に設けられ、前記第１延出部から離間する第１開位置と、前記第１延出部に接近する第１閉位置と、の間を変位可能な第１トレイと、
前記第１トレイの、前記表面に起立して設けられ、前記幅方向の両側に位置し、互いに接近する接近位置と互いに離間する離間位置との間で前記幅方向に移動可能な一対の壁を備える一対の壁部と、
前記幅方向において前記一対の壁の間に位置し、前記第１トレイの表面から突出した第１突出部と、
前記幅方向において前記第１突出部と少なくとも一部が同じ位置に位置し、前記筐体の前記第１延出部から前記裏側に向けて突出した第２突出部と、
を備え、
前記第１突出部の前記裏側において前記一対の壁を連動させるためのギヤが収納され、
前記第１突出部と前記第１トレイのうち少なくとも前記表面とは、前記第１トレイが前記第１閉位置に位置するときに前記一対の第２延出部の間に位置し、
前記一対の壁部は、前記接近位置に位置するときに、前記第１トレイの一部と当接し、
前記一対の壁は、前記接近位置に位置するときに、前記第１突出部と前記第２突出部との幅方向両側に位置することを特徴とする画像読取装置。
【請求項２】
前記一対の壁の前記搬送方向における上流側端部は、前記搬送方向上流側に行くにつれて互いに離間するテーパ面を備えることを特徴とする請求項１に記載の画像読取装置。
【請求項３】
前記一対の壁の、前記第１トレイの前記表面からの高さは、前記搬送方向の最下流部において最も高いことを特徴とする請求項１又は２に記載の画像読取装置。
【請求項４】
前記第１トレイの前記搬送方向の上流側端部に揺動可能に設けられ、前記第１トレイが前記第１開位置に位置ときに表面が前記第１トレイの前記表面に連接する第２開位置と、前記第１トレイが前記第１閉位置に配設されたときに前記筐体の第１延出部に重ねて配置される第２閉位置と、の間を変位可能な第２トレイと、
前記第２トレイの前記搬送方向の上流側端部に揺動可能に設けられ、前記第１トレイが前記第１開位置に配設され前記第２トレイが前記第２開位置に配設されたときに表面が前記第２トレイの前記表面に連接する第３開位置と、前記第１トレイが前記第１閉位置に配設され前記第２トレイが前記第２閉位置に配設されたときに前記筐体の前記搬送方向下流側に重ねて配置される第３閉位置と、の間を変位可能な第３トレイと、
を備えたことを特徴とする請求項１〜３のいずれか１項に記載の画像読取装置。
【請求項５】
前記第１トレイ，前記第２トレイ，前記第３トレイのうち、少なくともいずれか１つの表面に、前記搬送方向に沿った複数の溝が形成されたことを特徴とする請求項４に記載の画像読取装置。
【請求項６】
前記筐体の表面に設けられた表示部又は操作部を備え、
前記第１トレイ，前記第２トレイ，前記第３トレイのうち、少なくともいずれか１つは、前記第１トレイが前記第１閉位置に位置し、前記第２トレイが前記第２閉位置に位置し、前記第３トレイが前記第３閉位置に位置する閉状態において前記表示部又は操作部を露出させる開口を備え、
前記一対の壁は、前記第１トレイが前記第１開位置に位置し、前記第２トレイが前記第２開位置に位置し、前記第３トレイが前記第３開位置に位置する開状態において、前記開口よりも前記搬送方向の下流側に位置することを特徴とする請求項４又は５に記載の画像読取装置。
【発明の詳細な説明】
【技術分野】
【０００１】
本発明は、画像読取装置に関する。
【背景技術】
【０００２】
従来、原稿挿入経路に挿入された原稿の画像を読み取る画像読取装置が提案されている。画像読取装置は、例えば、その原稿挿入経路の上流側に、開閉可能なトレイを備える。トレイは、例えば、画像読取装置の使用時に開かれる。トレイは、例えば、画像読取装置の不使用時に閉じられる。また、トレイは、例えばその表面において、原稿の挿入方向に直交する幅方向両側に一対の壁を備える（例えば、特許文献１参照）。一対の壁は、原稿の幅方向の位置を合わせる。
【先行技術文献】
【特許文献】
【０００３】
【特許文献１】特開２００８−６８９８１号公報
【発明の概要】
【発明が解決しようとする課題】
【０００４】
特許文献１の画像読取装置において、一対の壁が、筐体内の前記原稿挿入経路の上流側端部に設けられたピックアップローラを幅方向両側から挟んでいる。一対の壁は、幅方向に移動される。このため、特許文献１の画像読取装置では、トレイが閉じられる際に、一対の壁がピックアップローラと干渉してしまう可能性があった。
【０００５】
そこで、本発明は、画像読取装置において、トレイの閉鎖時にそのトレイに設けられた一対の壁が筐体側の部材と干渉することを抑制することを目的としてなされた。
【課題を解決するための手段】
【０００６】
前記目的を達するためになされた本発明の画像読取装置は、原稿の搬送方向に直交する幅方向に延出した第１延出部と、前記第１延出部から前記搬送方向の上流側へ延出した一対の第２延出部とを備える筐体と、前記筐体に内蔵され、原稿の画像を読み取る読取部と、表面と前記表面よりも前記第１延出部から離間した裏側に位置する裏面とを備え、前記筐体に揺動可能に設けられ、前記第１延出部から離間する第１開位置と、前記第１延出部に接近する第１閉位置と、の間を変位可能な第１トレイと、前記第１トレイの、前記表面に起立して設けられ、前記幅方向の両側に位置し、互いに接近する接近位置と互いに離間する離間位置との間で前記幅方向に移動可能な一対の壁を備える一対の壁部と、前記幅方向において前記一対の壁の間に位置し、前記第１トレイの表面から突出した第１突出部と、前記幅方向において前記第１突出部と少なくとも一部が同じ位置に位置し、前記筐体の前記第１延出部から前記裏側に向けて突出した第２突出部と、を備え、前記第１突出部の前記裏側において前記一対の壁を連動させるためのギヤが収納され、前記第１突出部と前記第１トレイのうち少なくとも前記表面とは、前記第１トレイが前記第１閉位置に位置するときに前記一対の第２延出部の間に位置し、前記一対の壁部は、前記接近位置に位置するときに、前記第１トレイの一部と当接し、前記一対の壁は、前記接近位置に位置するときに、前記第１突出部と前記第２突出部との幅方向両側に位置することを特徴としている。
【０００７】
このように構成された本発明の画像読取装置では、第１トレイは、筐体に揺動可能に設けられている。そして、その揺動によって、前記第１トレイは、筐体において幅方向に延出した第１延出部から離間する第１開位置と、前記第１延出部に接近する第１閉位置と、の間を変位する。
【０００８】
第１トレイが第１閉位置に位置するとき、第１突出部と第１トレイのうち少なくとも表面とは、前記一対の第２延出部の間に位置する。このため、本発明の画像読取装置は、不使用時にコンパクトに収納することができる。
【０００９】
また、第１トレイの表面には、一対の壁を備える一対の壁部が起立して設けられている。そして、この一対の壁は、第１突出部の裏側に収納されたギヤにより、互いに接近する接近位置と互いに離間する離間位置との間で、幅方向に連動される。また、一対の壁部は、前記接近位置に位置するときに、第１トレイの一部と当接する。そして、これによって、一対の壁は、前記接近位置に位置するときに、筐体の第１延出部から突出した第２突出部と、前記第１突出部との、幅方向両側に位置する。従って、第１トレイが第１閉位置に配設されるときに、一対の壁が筐体側の第２突出部と干渉することが抑制される。
【００１０】
しかも、各壁の第１トレイ表面からの高さは、第１突出部の第１トレイの表面からの突出量と第２突出部の第１延出部からの突出量とを合わせた高さに設計することができ、一対の壁によって原稿の幅方向の位置を合わせることも良好に行える。そして、このような高さを有した壁も、第１突出部と第２突出部との幅方向両側の空間を利用することによって、壁部を折り畳むなどしなくても容易に収納することができる。
【００１１】
なお、本発明において、前記一対の壁の前記搬送方向における上流側端部は、前記搬送方向上流側に行くにつれて互いに離間するテーパ面を備えてもよい。その場合、原稿を前記搬送方向上流側から一対の壁の間に挿入する際、原稿が前記テーパ面によって案内されるので当該挿入作業が容易になる。
【００１２】
また、本発明において、前記一対の壁の、前記第１トレイの前記表面からの高さは、前記搬送方向の最下流部において最も高くてもよい。名刺などの腰の強い原稿が搬送されていく際、その原稿の搬送方向上流側端部（すなわち後端）は、前端がローラ等によってニップされたときに第１トレイの表面から浮き上がる場合がある。そのような場合でも、前記各壁の前記搬送方向最下流部が最も高く構成されていれば、その原稿の位置が一対の壁の間から幅方向にずれるのを良好に抑制することができる。
【００１３】
また、本発明において、前記第１トレイの前記搬送方向の上流側端部に揺動可能に設けられ、前記第１トレイが前記第１開位置に位置ときに表面が前記第１トレイの前記表面に連接する第２開位置と、前記第１トレイが前記第１閉位置に配設されたときに前記筐体の第１延出部に重ねて配置される第２閉位置と、の間を変位可能な第２トレイと、前記第２トレイの前記搬送方向の上流側端部に揺動可能に設けられ、前記第１トレイが前記第１開位置に配設され前記第２トレイが前記第２開位置に配設されたときに表面が前記第２トレイの前記表面に連接する第３開位置と、前記第１トレイが前記第１閉位置に配設され前記第２トレイが前記第２閉位置に配設されたときに前記筐体の前記搬送方向下流側に重ねて配置される第３閉位置と、の間を変位可能な第３トレイと、を備えてもよい。
【００１４】
その場合、第１トレイ，第２トレイ，第３トレイをそれぞれ第１開位置，第２開位置，第３開位置に配設すれば、各トレイの表面が連接されて大きい原稿を保持することができる。また、第１トレイ，第２トレイ，第３トレイをそれぞれ第１閉位置，第２閉位置，第３閉位置に配設すれば、第１トレイは少なくとも表面が一対の第２延出部の間に配設される。また、そのとき、第２トレイは筐体の第１延出部に重ねて配設される。更に、そのとき、第３トレイは筐体の前記搬送方向下流側に重ねて配設される。従って、画像読取装置を極めてコンパクトに収納することができる。
【００１５】
そして、その場合、前記第１トレイ，前記第２トレイ，前記第３トレイのうち、少なくともいずれか１つの表面に、前記搬送方向に沿った複数の溝が形成されてもよい。その場合、第１トレイ，第２トレイ，第３トレイを全て開位置に配設してその表面に使用者が原稿を載置する際に、その使用者は、前記溝と原稿の幅方向端縁とを見比べることによって、原稿が搬送方向に対して斜めになっていないかを確認することができる。また、使用者は、前記溝に原稿の幅方向端縁を合わせることによって、その原稿が定形外の原稿であっても、当該原稿を搬送方向に沿って配置することができる。
【００１６】
また、その場合、前記筐体の表面に設けられた表示部又は操作部を備え、前記第１トレイ，前記第２トレイ，前記第３トレイのうち、少なくともいずれか１つは、前記第１トレイが前記第１閉位置に位置し、前記第２トレイが前記第２閉位置に位置し、前記第３トレイが前記第３閉位置に位置する閉状態において前記表示部又は操作部を露出させる開口を備え、前記一対の壁は、前記第１トレイが前記第１開位置に位置し、前記第２トレイが前記第２開位置に位置し、前記第３トレイが前記第３開位置に位置する開状態において、前記開口よりも前記搬送方向の下流側に位置してもよい。
【００１７】
その場合、前記各トレイが閉位置に配設された状態であっても、使用者は開口を介して表示部の表示を見たり、もしくは、開口を介して操作部を操作したりすることができる。また、一対の壁は開口よりも搬送方向下流側に配設されているので、読取部へ搬送される原稿の幅方向の位置を良好に合わせることができる。
【図面の簡単な説明】
【００１８】
【図１】本発明を適用した画像読取装置のトレイが開かれた状態を表す平面図（Ａ）、正面図（Ｂ）、底面図（Ｃ）、右側面図（Ｄ）、背面図（Ｅ）、斜視図（Ｆ）である。
【図２】その画像読取装置のトレイが閉じられた状態を表す平面図（Ａ）、正面図（Ｂ）、底面図（Ｃ）、右側面図（Ｄ）、背面図（Ｅ）、斜視図（Ｆ）である。
【図３】画像読取装置の内部構造を説明するための説明図である。
【図４】前記画像読取装置の壁部の周辺を表す平面図（Ａ）、裏面図（Ｂ）である。
【図５】前記画像読取装置の壁部を最も接近させた状態を表す斜視図である。
【図６】画像読取装置の内部構造を説明するための説明図である。
【発明を実施するための形態】
【００１９】
次に、本発明の実施形態について一例を挙げて説明する。本実施形態において例示する画像読取装置１は、原稿画像を読み取って、その読み取り画像に応じたデータをＵＳＢメモリ（図示省略）に書き込んだり、ＵＳＢケーブル（図示省略）を介してパーソナルコンピュータ等に送ったりする装置である。なお、以下の説明においては、画像読取装置１の各部について、それらの相対的な位置関係をわかりやすくするため、図中に併記した上下左右前後の各方向を利用して説明をする。
【００２０】
［実施形態の概略構成］
図１は、画像読取装置１の構成を表す図である。詳しくは、（Ａ）は平面図、（Ｂ）は正面図、（Ｃ）は底面図、（Ｄ）は右側面図、（Ｅ）は背面図、（Ｆ）は斜視図である。また、図２は、画像読取装置１の構成を表す図である。詳しくは、（Ａ）は平面図、（Ｂ）は正面図、（Ｃ）は底面図、（Ｄ）は右側面図、（Ｅ）は背面図、（Ｆ）は斜視図である。画像読取装置１は、図１及び図２に示すように、第１トレイ５０、第２トレイ７０及び第３トレイ８０を備える。図１は、第１トレイ５０、第２トレイ７０及び第３トレイ８０が開かれた状態の画像読取装置１を示す図である。図２は、第１トレイ５０、第２トレイ７０及び第３トレイ８０が閉じられた状態の画像読取装置１を示す図である。
【００２１】
図１（Ｆ）に示すように、第１トレイ５０は、筐体１０の後部、すなわち原稿搬送方向上流部に、ヒンジ５１を介して左右方向の軸回りに揺動可能に設けられている。第２トレイ７０は、第１トレイ５０の筐体１０に接続された側の端縁とは反対側の端縁に、ヒンジ７１を介して左右方向の軸回りに揺動可能に接続されている。更に、第３トレイ８０は、第２トレイ７０の第１トレイ５０に接続された側の端縁とは反対側の端縁に、ヒンジ８１を介して左右方向の軸回りに揺動可能に接続されている。第１トレイ５０、第２トレイ７０及び第３トレイ８０は、各々、表面５２、表面７２及び表面８２を備える。第１トレイ５０は、裏面５９を備える。
【００２２】
そして、第１トレイ５０、第２トレイ７０及び第３トレイ８０が筐体１０から離れる方向に開かれると、第１トレイ５０、第２トレイ７０及び第３トレイ８０の各々の表面５２、表面７２及び表面８２は一連の面を構成する。なお、第３トレイ８０の第２トレイ７０に接続された側とは反対側の端縁には、左右方向の中心に揺動の軸を有する一対の羽根９０が設けられている。この羽根９０を延ばすことによって第３トレイ８０を延長することができる。羽根９０は、第３トレイ８０に収納されることができる。
【００２３】
また、第１トレイ５０、第２トレイ７０及び第３トレイ８０が筐体１０に近接する方向に閉じられると、図２に示すように、第１トレイ５０、第２トレイ７０及び第３トレイ８０は筐体１０の外面に沿って配設される。
【００２４】
図３は、図１（Ａ）の内部構造を説明するための説明図である。図３に示すように、筐体１０は、上部筐体１１と下部筐体１２と一対の側板１３とを備える。上部筐体１１及び下部筐体１２は、上下に重ねて配置される。一対の側板１３は、上部筐体１１及び下部筐体１２を左右方向から挟んで設けられている。ここで、上部筐体１１，下部筐体１２，及び一対の側板１３が、筐体の一例に相当する。なお、一対の側板１３は、下部筐体１２と一体に構成されている。上部筐体１１は、一対の側板１３の間に、下部筐体１２の上方から装着されている。また、一対の側板１３は、上下に組み合わされた上部筐体１１及び下部筐体１２に対して、前方，後方，及び上方に突出している。上部筐体１１は、第１延出部１１Ｂを備える。第１延出部１１Ｂは、上部筐体１１の上面である。第１延出部１１Ｂは、左右方向、すなわち原稿の幅方向に延出している。一対の側板１３は、各々、第２延出部１３Ａ及び第２延出部１３Ｂを備える。第２延出部１３Ａ及び第２延出部１３Ｂは、一対の側板１３の上部筐体１１及び下部筐体１２から後方に突出した部分である。すなわち、第２延出部１３Ａ及び第２延出部１３Ｂは、第１延出部１１Ｂから後方へ、すなわち原稿の搬送方向の上流側へ延出している。第１トレイ５０は、一対の側板１３の第２延出部１３Ａ及び第２延出部１３Ｂの間に、ヒンジ５１を介して揺動可能に接続されている。第１トレイ５０は、第１延出部１１Ｂから離間する第１開位置と、第１延出部１１Ｂに接近する第１閉位置との間を変位可能である。
【００２５】
下部筐体１２の後部には、図３及び図６などに示すように、第１トレイ５０が筐体１０から離れる方向に開かれた第１開位置に配設されたときに、その第１トレイ５０の表面５２と一連の面を構成するシュート１２Ａが設けられている。シュート１２Ａの前方には、分離ローラ１５が設けられている。この分離ローラ１５は、上部筐体１１の後端に取り付けられた分離機構１６と協働して、第１トレイ５０、第２トレイ７０及び第３トレイ８０の各々の表面５２、表面７２及び表面８２に載置された原稿を１枚ずつ分離して前方に搬送し得る。分離機構１６は、図３に示すように、第２突出部１６Ａを備える。第２突出部１６Ａは、分離機構１６の後端である。第２突出部１６Ａは、筐体１０の左右方向すなわち幅方向の中央部に位置する。第２突出部１６Ａは、上部筐体１１の後端面１１Ａよりも更に後方に突出している。分離機構１６は、分離パッド１６Ｂを備える。分離パッド１６Ｂは、分離ローラ１５に当接している。
【００２６】
筐体１０の内部における分離ローラ１５の前方には、上下一対のＬＦローラ１７が配設されている。上部筐体１１，下部筐体１２の前端には、上下一対の排紙ローラ１８が配設されている。分離ローラ１５によって前方に搬送された原稿は、図３に太い矢印で示すように、ＬＦローラ１７から排紙ローラ１８に向けて搬送される。ＬＦローラ１７によって搬送された原稿は、排紙ローラ１８を介して筐体１０の外部に排紙される。ＬＦローラ１７から排紙ローラ１８に至る原稿搬送経路の上方及び下方には、その原稿の画像を上下両方から読み取る一対のＣｏｎｔａｃｔ  Ｉｍａｇｅ  Ｓｅｎｓｏｒ（以後、「ＣＩＳ」と記す）ユニット２１，２２が設けられている。一対のＣＩＳユニット２１、２２が読取部の一例である。
【００２７】
更に、上部筐体１１の第１延出部１１Ｂの中央には、タッチパネル２５が設けられている。タッチパネル２５は、表示部及び操作部の一例である。なお、図３に示すように、タッチパネル２５は鉛直方向上向きよりも若干前方に傾いている。そのため、画像読取装置１の前方からの視認性及び操作性を向上させることができる。
【００２８】
また、図１（Ｅ）に示すように、下部筐体１２の後端面１２Ｂには、挿入口３１、ＵＳＢポート３２，３３、電源コネクタ３４、及び、セキュリティスロット３５等が設けられている。挿入口３１は、硬質プラスチック製のカード等を挿入するための穴である。挿入口３１は、後端面１２Ｂの右上寄りの位置に設けられている。そして、その挿入口３１から挿入されたカード等は、ＣＩＳユニット２１，２２による原稿の読み取り範囲に搬送される。
【００２９】
ＵＳＢポート３２は、挿入口３１の下方に設けられる。ＵＳＢポート３２は、ＵＳＢメモリを装着可能なポートである。ＵＳＢポート３２にＵＳＢメモリを装着した場合、ＣＩＳユニット２１，２２を介して読み取られた画像に対応するデータをそのＵＳＢメモリに書き込むことができる。
【００３０】
ＵＳＢポート３３は、後端面１２Ｂの中央下方に設けられる。ＵＳＢポート３３は、ＵＳＢケーブルを装着可能なポートである。ＵＳＢポート３３とパーソナルコンピュータのＵＳＢポートとをＵＳＢケーブルを介して接続した場合、ＣＩＳユニット２１，２２を介して読み取られた画像に対応するデータをそのパーソナルコンピュータに送信することができる。
【００３１】
電源コネクタ３４は、ＵＳＢポート３３の左隣に設けられている。電源コネクタ３４には、図示省略したＡＣアダプタが装着される。これにより、前述の分離ローラ１５等を駆動するための非図示のモータやＣＩＳユニット２１，２２等に、その電源コネクタ３４を介して電力を供給することが可能となる。
【００３２】
セキュリティスロット３５は、後端面１２Ｂの左端下方に設けられている。このセキュリティスロット３５は、図示省略したロック等の盗難防止装置を装着可能なスロットである。
【００３３】
［実施形態のトレイの詳細構成］
次に、第１トレイ５０の表面５２には、左右方向、すなわち幅方向に接近及び離間可能な一対の壁部５３が設けられている。一対の壁部５３は、図４及び図５に示すような互いに接近する接近位置と、図１に示すような互いに離間した離間位置との間で左右方向すなわち幅方向に移動可能である。一対の壁部５３は、いわゆる原稿幅ガイドである。この一対の壁部５３を連動させる機構について、図４を用いて説明する。図４は、第１トレイ５０のうち、一対の壁部５３とそれが設けられた表面５２を構成する板材５４とを切り出して示す図である。なお、図４（Ａ）は表面５２側から見た図であり、図４（Ｂ）はその裏側から見た図である。
【００３４】
板材５４の幅方向中心には、表面方向に突出した第１突出部５４Ａが形成される。第１突出部５４Ａが第１トレイ５０の幅方向中央部に位置するため、筐体１０の幅方向中央部に位置する第２突出部１６Ａの少なくとも一部は、幅方向において第１突出部５４Ａと同じ位置に位置する。すなわち、第１突出部５４Ａと第２突出部１６Ａとは、幅方向においておおよそ同じ位置に位置する。第１突出部５４Ａは、第１トレイ５０の表面５２から後側、すなわち裏側に向けて突出している。第１突出部５４Ａは、第１トレイ５０が第１閉位置に位置するときに、図６に示すように、幅方向において図３に示す第２延出部１３Ａと図３においては非図示であるが第２延出部１３Ａの右方に位置する第２延出部１３Ｂの間に位置する。なお、第１トレイ５０の表面５２は、第１トレイ５０が第１閉位置に位置するときに幅方向において第２延出部１３Ａと第２延出部１３Ｂとの間に位置する。本実施形態では、第１トレイ５０の裏面５９も、第１トレイ５０が第１閉位置に位置するときに幅方向において第２延出部１３Ａと第２延出部１３Ｂとの間に位置する。板材５４の左右両側には、幅方向に延びる一対の穴５４Ｂが形成されている。穴５４Ｂは、左右方向に延出した矩形状である。各壁部５３は、図４（Ａ）に示すように、表面５２から起立した部分に、互いに平行して幅方向に対向する壁５３Ａと、その壁５３Ａの後端に連接されて後側に行くにつれて互いに離間するテーパ面５３Ｂとを備えている。第１突出部５４Ａは、左右方向すなわち幅方向において、一対の壁５３Ａの間に位置する。各壁部５３は、図４（Ｂ）に示すように、穴５４Ｂを貫通する貫通部５３Ｃを備える。貫通部５３Ｃには、ラック５３Ｅが連接されている。一対の壁部５３は、各々、基台５３Ｆを備える。基台５３Ｆは、左右方向及び前後方向に延出している。基台５３Ｆは、第１突出部５４Ａと上下方向においておおよそ同じ高さを有する。
【００３５】
なお、図４（Ｂ）では、説明の便宜上、穴５４Ｂを貫通している貫通部５３Ｃの断面をハッチングで示している。右側の壁部５３に連接されたラック５３Ｅは、左方向に延びて配設されている。左側の壁部５３に連接されたラック５３Ｅは、右方向に延びて配設されている。また、各ラック５３Ｅは、右側の穴５４Ｂの右端から左側の穴５４Ｂの左端に至る長さの半分以上の長さを有している。このため、各ラック５３Ｅは、第１突出部５４Ａの下方で互いに対向している。一対のラック５３Ｅの対向の部分に、双方のラック５３Ｅと噛み合うギヤ５５が配設されている。なお、第１突出部５４Ａの内側は中空に構成され、その部分にギヤ５５が回転可能に配設されている。すなわち、ギヤ５５は、第１突出部５４Ａの裏側に収納されている。
【００３６】
このため、いずれか一方の壁部５３が摘まれ、左右方向に移動されると、その動きに連動して、もう一方の壁部５３が、前記一方の壁部５３と幅方向中心に対して対称な位置に配設されるように移動する。また、壁部５３の移動範囲は、第１トレイ５０の一部であり、穴５４Ｂを形成する左右方向端部５４ＢＡに貫通部５３Ｃが当接することによって規制される。なお、本実施形態において、端部５４ＢＡに貫通部５３Ｃが当接するとき、一対の壁部５３は、第１トレイ５０の一部である第１突出部５４Ａにも当接している。このため、一対の壁部５３を最も近接させた場合でも、図５に示すように、一対の壁５３Ａは、上部筐体１１の後端面１１Ａから後方に突出した分離機構１６の第２突出部１６Ａ及び第１突出部５４Ａの、幅方向両側に配設される。従って、第１トレイ５０を筐体１０方向に揺動させて閉じる際に壁部５３が分離機構１６の第２突出部１６Ａ等と干渉せず、良好に閉じることができる。なお、一対の壁５３Ａを図５に示すように最も接近する接近位置に配設したとき、一対の壁５３Ａの間隔は、例えば、名刺の幅、すなわち名刺の短辺の長さと略一致する。
【００３７】
また、図５に示すように、第２トレイ７０は、表面７２が第１トレイ５０の表面５２と連接する第２開位置まで開くことができる。第３トレイ８０は、表面８２が第２トレイ７０の表面７２と連接する第３開位置まで開くことができる。このように第１トレイ５０、第２トレイ７０及び第３トレイ８０を開くことにより、レターサイズ等の大きい原稿を保持することができる。
【００３８】
図６は、第１トレイ５０、第２トレイ７０及び第３トレイ８０を閉じた状態の画像読取装置１の内部構成を表す説明図である。図２及び図６に示すように、第１トレイ５０は、全体が一対の側板１３の間に位置し、かつ、筐体１０の第１延出部１１Ｂから離間した側の面である裏面５９が側板１３の後端面と面一になる第１閉位置まで閉じることができる。そして、そのとき、壁部５３は、画像読取装置１の幅方向中心に配設された分離機構１６の第２突出部１６Ａと第１突出部５４Ａとの幅方向両側に位置する。
【００３９】
このため、壁５３Ａの高さは上部筐体１１の後端面１１Ａから突出した分離機構１６の第２突出部１６Ａの突出量と、第１トレイ５０の表面５２からの第１突出部５４Ａの突出量とを合わせた高さ以上に容易に設計することができる。このため、壁５３Ａによって原稿の幅方向の位置を良好に合わせることができる。
【００４０】
しかも、この種の画像読取装置では、筐体の後方、すなわち原稿搬送方向上流側部分にデッドスペースが多く、壁５３Ａを高く設計するのが一層容易である。これは、筐体の後方に配設されたトレイに原稿を保持する場合、そのトレイの筐体からの突出量を抑制して装置全体を小型化するために、ローラ等を筐体の後端部に配置しない場合が多いからである。
【００４１】
なお、画像読取装置１では、図６に示すように、第１トレイ５０を第１閉位置に配設したとき、第１トレイ５０は上方が前方に倒れるように僅かに傾斜している。それに対して、上部筐体１１の後端面１１Ａは鉛直である。そこで、本実施形態では、壁部５３の高さを、原稿の搬送方向下流側へ行くほど高くなるように構成している。名刺などの腰の強い原稿は、搬送方向下流側端部、すなわち前端が分離ローラ１５にニップされたとき、後端が第１トレイ５０から浮き上がる場合がある。前記のように、壁部５３の高さが搬送方向最下流で最も高くなっていれば、原稿が壁５３Ａの間から幅方向にずれるのを良好に抑制することができる。
【００４２】
また、第２トレイ７０は、上部筐体１１の第１延出部１１Ｂに上方から重なる第２閉位置まで閉じることができる。更に、第３トレイ８０は、上部筐体１１の前面１１Ｃに前方から重なる第３閉位置まで閉じることができる。このとき、第２トレイ７０，第３トレイ８０の裏面７３，８３も、側板１３の外周面と面一になる。このため、画像読取装置１は、極めてコンパクトに収納することができる。
【００４３】
そして、このように第１トレイ５０、第２トレイ７０及び第３トレイ８０を閉じたときに、第２トレイ７０のタッチパネル２５と重なる位置には、そのタッチパネル２５を露出させるための開口７５が設けられている。このため、第１トレイ５０、第２トレイ７０及び第３トレイ８０を閉じた状態でも、タッチパネル２５の表示を見たりそのタッチパネル２５を操作したりすることができる。例えば、第１トレイ５０、第２トレイ７０及び第３トレイ８０を閉じた状態でも、挿入口３１からカードを挿入してその画像を読み取る操作が実行できる。なお、図５に示すように第１トレイ５０、第２トレイ７０及び第３トレイ８０を開いたときには、壁５３Ａは開口７５の前記搬送方向下流側に配設される。このため、一対のＣＩＳユニット２１，２２の間へ搬送される原稿の幅方向の位置を良好に合わせることができる。
【００４４】
また、第２トレイ７０の表面７２には、図５に示すように、定形の原稿幅に応じた刻印７６の他に、前記搬送方向に沿った複数の溝７７が形成されている。このため、第１トレイ５０，第２トレイ７０，第３トレイ８０を全て開位置に配設してその表面５２，７２，８２に使用者が原稿を載置する際に、その使用者は、溝７７を次のように使用することができる。すなわち、使用者は、溝７７と原稿の幅方向端縁とを見比べることによって、原稿が搬送方向に対して斜めになっていないかを確認することができる。また、使用者は、溝７７に原稿の幅方向端縁を合わせることによって、その原稿が定形外の原稿であっても、当該原稿を搬送方向に沿って配置することができる。更に、前述のように、壁５３Ａの前記搬送方向上流側にはテーパ面５３Ｂが設けられているので、原稿を前記搬送方向上流側から一対の壁５３Ａの間に挿入する際、原稿がテーパ面５３Ｂに案内されて当該挿入作業が容易になる。
【００４５】
［本発明の他の実施形態］
なお、本発明は前記実施形態に何ら限定されるものではなく、本発明の要旨を逸脱しない範囲で種々の形態で実施することができる。例えば、溝７７は、第３トレイ８０又は第１トレイ５０に形成されてもよい。また、溝７７の代わりに、第２トレイ７０の表面に直線を印刷したり凸条を形成したりしてもよいが、溝７７の方が、印刷や凸条に比べて優れた耐久性が得られる。
【００４６】
また、上部筐体１１の第１延出部１１Ｂを後方中央から切り欠くことによって第１トレイ５０を収容する切欠部を形成し、その切欠部の幅方向両側部分を第２延出部としてもよい。すなわち、上部筐体１１の上面を、第１延出部と一対の第２延出部とによって構成してもよい。
【００４７】
更に、第１トレイ５０に必ずしも第２トレイ７０，第３トレイ８０を揺動可能に設けなくてもよく、第１トレイ５０の後端に、例えば、後方及び上方に延びる針金の枠を装着して大きい原稿を保持してもよい。また、第１トレイ５０から補助トレイを引き出して大きい原稿を保持してもよい。また更に、第２突出部は、原稿の分離とは関係のない他の機構であってもよい。
【符号の説明】
【００４８】
１…画像読取装置      １０…筐体                      １１…上部筐体
１１Ｂ…第１延出部    １２…下部筐体                  １２Ａ…シュート          １３…側板            １３Ａ、１３Ｂ…第２延出部      １５…分離ローラ
１６…分離機構        １６Ａ…第２突出部              １７…ＬＦローラ
１８…排紙ローラ      ２１，２２…ＣＩＳユニット      ２５…タッチパネル
５０…第１トレイ      ５２，７２，８２…表面          ５３…壁部
５３Ａ…壁            ５３Ｂ…テーパ面                ５３Ｅ…ラック
５４…板材            ５４Ａ…第１突出部              ５４Ｂ…穴
５５…ギヤ            ５９，７３，８３…裏面          ７０…第２トレイ
７５…開口            ７６…刻印  ７７…溝            ８０…第３トレイ
【図１】
2014129160.tif 000003
【図２】
2014129160.tif 000004
【図３】
2014129160.tif 000005
【図４】
2014129160.tif 000006
【図５】
2014129160.tif 000007
【図６】
2014129160.tif 000008